(57)【要約】【課題】着座者が椅子の座に腰掛けたときの座り心地を改善し、前記座の膜状部材の耐久性を向上させる。【解決手段】弾性ある膜状部材２５の周縁部を枠体２１に固定した、椅子１０の座２０において、枠体２１のうち少なくとも前辺部２６は、内部材２２および外部材２３を備え、内部材２２は膜状部材２５の周縁部の下面２５ｂに接する上面２２ａを備え、この上面２２ａは、内部材２２の内側端部２２ｃ側において、膜状部材２５から離れる方向に湾曲し、外部材２３は、膜状部材２５の周縁部を内部材２２に固定するように成形されている。【選択図】        図２
2004167157.tif 000002
【特許請求の範囲】
【請求項１】
弾性ある膜状部材の周縁部を枠体に固定した座を有する椅子において、
前記枠体のうち少なくとも前辺部は、前記膜状部材の周縁部の下面に接する上面を備え、この上面は、前記枠体の内側端部側において、前記膜状部材から離れる方向に湾曲していることを特徴とする座を有する椅子。
【請求項２】
弾性ある膜状部材の周縁部を枠体に固定した座を有する椅子において、
前記枠体のうち少なくとも前辺部は、内部材および外部材を備え、
前記内部材は前記膜状部材の周縁部の下面に接する上面を備え、この上面は、前記内部材の内側端部側において、前記膜状部材から離れる方向に湾曲し、
前記外部材は、前記膜状部材の周縁部を前記内部材に固定するように成形されたものであることを特徴とする座を有する椅子。
【請求項３】
弾性ある膜状部材の周縁部を枠体に固定した座を有する椅子において、
前記枠体のうち少なくとも前辺部は、内部材、外部材および弾性部材を備え、
前記内部材は前記弾性部材の外側端部を固定し、
前記外部材は前記膜状部材の周縁部を前記内部材に固定するように成形され、
前記弾性部材は、前記膜状部材の下面に接する上面を有し、この上面は、前記弾性部材の内側端部側において前記膜状部材から離れる方向に湾曲していることを特徴とする座を有する椅子。
【発明の詳細な説明】
【０００１】
【発明の属する技術分野】
本発明は椅子に関し、特に座り心地を改善した座を有する椅子に関するものである。
【０００２】
【従来の技術】
従来、メッシュ等の膜状部材の周縁部を枠体に固定して座を形成した椅子が知られている（特許文献１参照）。
図５はこの従来例の座を備えた椅子を分解した状態を示し、図６は図５に示す座のＶＩ−ＶＩ断面を拡大して示す。図５に示す椅子８０では、背もたれ部９３を備えたフレーム９１の座受部９２に座８１が支えられる。座８１は、膜状部材８２および膜状部材８２の周縁部を支える枠体８３を備えている。枠体８３の前辺部８４の中央部に舌形状の弾性ある支持部８５が形成されている。このため、膜状部材８２の前縁部の中央部分は支持部８５で支えられるので、図示しない着座者が座８１に腰掛けたときは、図６に二点鎖線で示すように、支持部８５の先端部８５ａが下方に撓むことにより、クッション感が生ずる。
【０００３】
【特許文献１】
特開２００１−１３７０６５号公報（第５―７頁、図１、図３  ）
【０００４】
【発明が解決しようとする課題】
しかし、上述の従来例においては、支持部８５の先端部８５ａに角が形成されているので、着座者が座８１に座ったときに、その者の尻部により下方に押された膜状部材８２が前記先端部８５ａの角により折れ曲る。このため、前記着座者が不快に感じるとともに、膜状部材８２の耐久性が劣化するという問題があった。
そこで、本発明が解決しようとする課題は、上記問題点をなくし、着座者が椅子の座に腰掛けたときの座り心地を改善し、前記座の膜状部材の耐久性を向上させることである。
【０００５】
【課題を解決するための手段】
上記課題を解決するため、請求項１記載の発明は、弾性ある膜状部材の周縁部を枠体に固定した座を有する椅子（腰掛けを含む）において、前記枠体のうち少なくとも前辺部は、前記膜状部材の周縁部の下面に接する上面を備え、この上面は、前記枠体の内側端部側において、前記膜状部材から離れる方向に湾曲していることを特徴とする座を有する椅子である。
これにより、椅子の座の枠体の少なくとも前辺部が膜状部材の周縁部を固定し、膜状部材の周縁部の下面に接する上面を備え、この上面は、枠体の内側端部側において、膜状部材から離れる方向に湾曲しているので、着座者が椅子の座に腰掛けたときに、着座者の尻部により膜状部材が下方に押されても、膜状部材が枠体の内側端部で折れ曲がることがない。
【０００６】
さらに、請求項２記載の発明は、弾性ある膜状部材の周縁部を枠体に固定した座を有する椅子において、前記枠体のうち少なくとも前辺部は、内部材および外部材を備え、前記内部材は前記膜状部材の周縁部の下面に接する上面を備え、この上面は、前記内部材の内側端部側において、前記膜状部材から離れる方向に湾曲し、前記外部材は、前記膜状部材の周縁部を前記内部材に固定するように成形されたものであることを特徴とする座を有する椅子である。
これにより、椅子の座の枠体の少なくとも前辺部において、外部材が膜状部材の周縁部を内部材に固定し、内部材は膜状部材の周縁部の下面に接する上面を備え、この上面は、内部材の内側端部側において、膜状部材から離れる方向に湾曲しているので、着座者が椅子の座に腰掛けたときに、着座者の尻部により膜状部材が下方に押されても、膜状部材が内部材の内側端部で折れ曲がることがない。
【０００７】
さらに、請求項３記載の発明は、弾性ある膜状部材の周縁部を枠体に固定した座を有する椅子において、前記枠体のうち少なくとも前辺部は、内部材、外部材および弾性部材を備え、前記内部材は前記弾性部材の外側端部を固定し、前記外部材は前記膜状部材の周縁部を前記内部材に固定するように成形され、前記弾性部材は、前記膜状部材の下面に接する上面を有し、この上面は、前記弾性部材の内側端部側において前記膜状部材から離れる方向に湾曲していることを特徴とする座を有する椅子である。
これにより、外部材は膜状部材の周縁部を内部材に固定するように成形され、内部材が弾性部材の外側端部を固定し、弾性部材は、膜状部材の下面に接する上面を有し、この上面は、弾性部材の内側端部側において膜状部材から離れる方向に湾曲しているので、着座者が椅子の座に腰掛けたときに、着座者の尻部により膜状部材が下方に押されても、膜状部材が弾性部材の内側端部で折れ曲がることがない。さらに、弾性部材が着座者の尻部により下方に押されて変形するので、膜状部材が弾性部材の内側端部で折れ曲がることが確実になくなる。
【０００８】
【発明の実施の形態】
以下、本発明における実施の形態を図面に基づいて説明する。
（第１の実施の形態）
図１は、本発明における第１の実施の形態に係る座を備えた椅子を示し、図２は、図１に示す座のＩＩ−ＩＩ断面を拡大して示す。
図１において、椅子１０は、図示しない着座者が腰掛ける座２０、座２０を支える脚部３１、着座者の肘を支える一対の肘掛け部３２、３３および着座者の背を支える背もたれ部３４を備えている。
【０００９】
座２０は、枠体２１にメッシュ状、弾性糸による布状等の弾性ある膜状部材２５の周縁部を固定したものである。枠体２１は、前辺部２６、後辺部２７および一対の側辺部２８、２９に区分される。
図２に示すように、枠体２１の少なくとも前辺部２６は、内部材２２と外部材２３により構成されている。内部材２２は、その外側端部２２ｂ側が垂下状に折れ曲り、その上面２２ａの内側端部２２ｃ側が膜状部材２５から離れる方向すなわち下方に向かって湾曲され、前記内側端部２２ｃが丸く角がないように形成されている。この上面２２ａの外側端部２２ｂ側部分に膜状部材２５の下面２５ｂの周縁部を重ねた状態で、金型を使用して外部材２３を一体に樹脂成形すると、外部材２３は膜状部材２５の周縁部を内部材２２に固定するように成形される。このため、内部材２２は膜状部材２５の周縁部の下面２５ｂに接する上面２２ａを備え、この上面２２ａは、内部材２２の内側端部２２ｃ側において、膜状部材２５から離れる方向に湾曲している。また、内部材２２と外部材２３により容易に膜状部材２５の周縁部を固定することができる。このとき、外部材２３は内部材２２の外側端部２２ｂ及び膜状部材２５の周縁部を抱き込んだ状態となる。このため、内部材２２の外側端部２２ｂが外部材２３から抜けることを防ぐことができる。
【００１０】
以上の構成により、図示しない着座者が座２０に腰掛けると、着座者の体重により膜状部材２５が二点鎖線で示すように下方に湾曲する。その際、この湾曲した膜状部材２５は、上述のように内部材２２の湾曲した上面２２ａの内側端部２２ｃに接触しないので、膜状部材２５の上面２５ａに折れ曲がりが発生しない。このため、着座者が不快に感じることなく、座２０のクッション感が前記従来例よりも改善されるとともに、膜状部材２５は、前記内側端部２２ｃで摩耗することがないので、その耐久性が向上する。
【００１１】
（第２の実施の形態）
図３は、第２の実施の形態に係る座を備えた椅子を示し、図４は、図３に示す座のＩＶ−ＩＶ断面を拡大して示す。
図３において、折り畳み式の椅子４０は、図示しない着座者が腰掛ける座５０、座５０を支える折り畳み式の前脚部７１、後脚部７２および前脚部７１に連設された背もたれ部７３を備えている。
【００１２】
座５０は、枠体５１に図１の膜状部材２５と同様の弾性ある膜状部材５６の周縁部を固定したものである。枠体５１は、座２０の前縁に相当する前辺部６１、後辺部６２および一対の側辺部６３、６４に区分される。
【００１３】
図４に示すように、枠体５１は、内部材５２並びに内部材５２に固定された外部材５３、弾性部材５４および補強部材５５を備えている。
枠体５１の少なくとも前辺部６１において板状の弾性部材５４が設けられ、  弾性部材５４は、膜状部材５６の下面５６ｂに接する上面５４ａを有し、この上面５４ａは、弾性部材５４の内側端部５４ｄ側において膜状部材５６から離れる方向に湾曲している。弾性部材５４の上面５４ａは、膜状部材５６の下面５６ｂに接着されないで、弾性部材５４の丸く形成された内側端部５４ｄ側にて膜状部材５６から離れる方向すなわち下方に湾曲しているので、膜状部材５６の下面５６ｂは、弾性部材５４の上面５４ａの内側端部５４ｄ側部分以外の部分に接触し、上面５４ａの内側端部５４ｄ側部分に接触しない。このため、弾性部材５４は膜状部材５６を柔らかく支えている。
また、弾性部材５４は、その外側端部５４ｃが下方に折れ曲り、さらに外側端部５４ｃの先端部５４ｃａは外方に逆Ｌ字状に折れ曲っている。
【００１４】
内部材５２は、金型を使用して弾性部材５４の外側端部５４ｃを固定するように一体に樹脂成形されたものであり、内部材５２の上面５２ａは弾性部材５４の下面５４ｂに前記成形により接着している。このとき、内部材５２は弾性部材５４の外側端部５４ｃを抱き込むように成形されるので、弾性部材５４の外側端部５４ｃが内部材５２から外れることを防ぐことができる。
内部材５２の下向きの溝５２ｂには、リング状の補強部材５５が配設されている。
【００１５】
膜状部材５６の周縁部を内部材５２の外側端部５２ｃおよび弾性部材５４の上に重ねるように配置した状態で、膜状部材５６の外周縁部を内部材５２の外側端部５２ｃに固定するように外部材５３が金型により一体に樹脂成形される。外部材５３のうち内部材５２および膜状部材５６を抱き込む部分５３ａは、その開口部よりもその内部が広くなっているので、内部材５２が外部材５３から外れることを防ぐことができる。
【００１６】
以上の構成により、図示しない着座者が座５０に腰掛けると、着座者の体重により膜状部材５６が二点鎖線で示すように下方に湾曲する。その際、この湾曲した膜状部材５６の下面５６ｂは、上述のように弾性部材５４の湾曲した上面５４ａの内側端部５４ｄに接触しないので、膜状部材５６の上面５６ａに折れ曲がりが発生しない。このため、着座者が不快に感じないで、座５０のクッション感が前記従来例よりも改善されるとともに、膜状部材５６は、前記内側端部５４ｄで摩耗することがないので、その耐久性が向上する。
さらに、前記着座者の体重により、弾性部材５４が下方に湾曲すると、一層クッション感が向上するとともに、膜状部材５６の耐久性が向上する。
【００１７】
なお、上記実施の形態において、座の枠体の前辺部に本発明が実施されているが、これに限らず、前記枠体の全体に本発明を実施することができる。
【００１８】
【発明の効果】
請求項１記載の発明によれば、着座者が椅子の座に腰掛けたときに、着座者の座り心地を改善するとともに、座の膜状部材の耐久性が向上する。
さらに、請求項２記載の発明によれば、上記請求項１記載の発明に係る椅子の座の枠体を内部材と外部材で容易に構成することができる。
さらに、請求項３記載の発明によれば、着座者が椅子の座に腰掛けたときに、着座者座り心地を確実に改善するとともに、座の膜状部材の耐久性が向上する。
【図面の簡単な説明】
【図１】本発明の第１の実施の形態に係る座を備えた椅子を示す斜視図である。
【図２】図１に示す座のＩＩ−ＩＩ断面を拡大して示す断面図である。
【図３】本発明の第２の実施の形態に係る座を備えた椅子を示す斜視図である。
【図４】図３に示す座のＩＶ−ＩＶ断面を拡大して示す断面図である。
【図５】従来の座を備えた椅子を分解した状態を示す斜視図である。
【図６】図５に示す座のＶＩ−ＶＩ断面を拡大して示す断面図である。
【符号の説明】
１０  椅子
２０  座
２１  枠体
２２  内部材
２２ａ  上面
２２ｃ  内側端部
２３  外部材
２５  膜状部材
２５ｂ    下面
２６  前辺部
４０  椅子
５０  座
５１  枠体
５２  内部材
５３  外部材
５４  弾性部材
５４ａ  上面
５４ｃ  外側端部
５４ｄ  内側端部
５６  膜状部材
５６ｂ  下面
６１  前辺部
【図１】
2004167157.tif 000003
【図２】
2004167157.tif 000004
【図３】
2004167157.tif 000005
【図４】
2004167157.tif 000006
【図５】
2004167157.tif 000007
【図６】
2004167157.tif 000008